(57)【要約】【課題】  溶接・切断手段を不要とする連結構造の提供にある。【解決手段】  連結構造１０は、接続部材２０とそれに隣り合うリング状のリング部材５０とを交互に連結させて構成されている。接続部材２０は、隣り合うリング部材５０を係止可能とする係止手段を有する雌パーツ２１と、リング部材５０との係止状態を維持するように雌パーツ３０に取外自在に嵌合する雄パーツ４０とからなる。雌パーツ３０は、ピン材２１を通すピン孔３２を設けた基部３１と、その基部３１を中心に左右対称にフック状に形成された係止手段３５，３５とを備える。また、雄パーツ４０は、中央にピン材２１を通すピン孔４２，４２を設けるとともに、雌パーツ３０の長手方向両端を残して嵌合する嵌合溝４５を備える。【選択図】  図１
0003118704.tif 000002
【実用新案登録請求の範囲】
【請求項１】
複数の部材を着脱自在に連結させた連結構造であって、
隣り合う隣接部材を係止可能とする係止手段を有する雌パーツと、
隣接部材との係止状態を維持するように雌パーツに取外自在に嵌合する雄パーツとからなる接続部材を備えたことを特徴とする連結構造。
【請求項２】
隣接部材の一部を挿通可能とする開口部と隣接部材の一部を保持可能とする保持部とによって係止手段を構成する雌パーツと、
雌パーツの開口部を閉塞して雌パーツに嵌合する雄パーツとからなる接続部材であることを特徴とする請求項１記載の連結構造。
【請求項３】
ピン材を通すピン孔を設けた基部と、その基部を中心に左右対称にフック状に形成された係止手段とを備えた雌パーツと、
中央にピン材を通すピン孔を設けるとともに、雌パーツの長手方向両端を残して嵌合する嵌合溝を備えた雄パーツとからなる接続部材であることを特徴とする請求項１又は２記載の連結構造。
【請求項４】
隣接部材が、リング状の部材又は係止孔を備えた部材又は係止輪を備えた部材であることを特徴とする請求項１から３のいずれかに記載の連結構造。
【請求項５】
請求項１から４のいずれかに記載の連結構造を用いた身飾品。
【考案の詳細な説明】
【技術分野】
【０００１】
本考案は、チェーンやバンドなど複数の部材を着脱自在に連結させた連結構造およびその構造を用いた身飾品に関するものである。
【背景技術】
【０００２】
チェーンやバンドなど複数の部材を連結させた連結構造にあっては、複数の部材を連結させるため、或いは、長さ調整のために、当該部材を溶接又は切断することが多い。
【０００３】
例えば、図５に示す特許文献１に記載のチェーンでは、リング４を連結する連結金具１が本体の一面に２個の突片５，６を設けた構造の上下ピース２，３のみからなり、上下ピース２，３が突片５，６の溶着（溶接）のみによって結合されている。また、特許文献１の構造を例にすると、上下ピース２，３は一体構造で、これに連結するリング４に切断面があり、連結金具１に係合させた後にその切断面を溶接する場合もある。
【０００４】
【特許文献１】特公平６−１０４０８４号公報
【考案の開示】
【考案が解決しようとする課題】
【０００５】
しかし、溶接・切断手段を用いた連結構造には、次のような問題点がある。
（１）連結構造の使用中に何かの拍子で溶接部分が開いてしまい、連結部材が外れてしまうおそれがある。このため、製品の耐久性に問題がある。
（２）長さ調整のために連結部材を取り付け・取り外しする場合に、溶接・切断という作業が必要となり、手間と技術を要する。
（３）溶接跡が残ってしまい、見た目が良くない。
【０００６】
そこで、本考案者は、上記のような問題点を解決すべく、溶接・切断手段を不要とする連結構造の提供を目的とし、本考案を完成するに至った。
【課題を解決するための手段】
【０００７】
上記目的を達成するために、第１の考案は、複数の部材を着脱自在に連結させた連結構造にあって、隣り合う隣接部材を係止可能とする係止手段を有する雌パーツと、隣接部材との係止状態を維持するように雌パーツに取外自在に嵌合する雄パーツとからなる接続部材を備えたことを特徴とするものである。
第２の考案は、隣接部材の一部を挿通可能とする開口部と隣接部材の一部を保持可能とする保持部とによって係止手段を構成する雌パーツと、雌パーツの開口部を閉塞して雌パーツに嵌合する雄パーツとからなる接続部材であることを特徴とするものである。
第３の考案は、ピン材を通すピン孔を設けた基部と、その基部を中心に左右対称にフック状に形成された係止手段とを備えた雌パーツと、中央にピン材を通すピン孔を設けるとともに、雌パーツの長手方向両端を残して嵌合する嵌合溝を備えた雄パーツとからなる接続部材であることを特徴とするものである。
第４の考案は、隣接部材が、リング状の部材又は係止孔を備えた部材又は係止輪を備えた部材であることを特徴とするものである。
第５の考案は、上記連結構造を用いた身飾品であることを特徴とするものである。ここで「身飾品」には、ブレスレットやネックレスの他に、時計バンドなど広く身に付けるもの全般が含まれる。
【考案の効果】
【０００８】
本考案によれば、次のような効果を有する。
（１）溶接・切断手段を用いない連結構造であるので、連結構造の使用中に何かの拍子で溶接部分が開いてしまい、連結部材が外れることを防止できる。このため、製品の品質が向上する。
（２）長さ調整のために連結部材を取り付け・取り外しする場合に、溶接・切断という作業が不要となり、手間と技術を要しない。従って、素人でも簡単に長さ調整ができるようになる。また、連結部材を無駄にすることもなくなる。
（３）溶接跡がないため、見栄えがよい。
（４）特に接続部材の雄パーツには技術上の制約が余りないので、デザインバリエーションが豊富になる。
【考案を実施するための最良の形態】
【０００９】
本考案の実施形態を図面に基づいて説明する。
図１は、本考案の実施形態を示す説明図である。図１に示す連結構造１０は、接続部材２０とそれに隣り合う隣接部材たるリング状のリング部材５０とを交互に連結させて構成されている。
【００１０】
接続部材２０は、隣り合うリング部材５０を係止可能とする係止手段を有する雌パーツ２１と、リング部材５０との係止状態を維持するように雌パーツ３０に取外自在に嵌合する雄パーツ４０とからなる。
雌パーツ３０は、ピン材２１を通すピン孔３２を設けた基部３１と、その基部３１を中心に左右対称にフック状に形成された係止手段３５，３５とを備える。また、雄パーツ４０は、中央にピン材２１を通すピン孔４２，４２を設けるとともに、雌パーツ３０の長手方向両端を残して嵌合する嵌合溝４５を備える。
【００１１】
この連結構造１０の組立て方は、次の通りである。
（１）まず、接続部材２０の雌パーツ３０と雄パーツ４０とを分離させる。
（２）次に、雌パーツ３０の係止手段３５，３５に隣り合うリング部材５０，５０を挿入する。
（３）そして、雌パーツ３０に雄パーツ４０を嵌合させる。
（４）最後に、雄パーツ４０のピン孔４２，４２と雌パーツ３０のピン孔とにピン材２１を挿通させる。これによって、接続部材２０とリング部材５０の連結される。
そして、この連結構造１０の連結部材（接続部材２０又はリング部材５０）を取り外す場合には、これと逆の作業をすればよい。
【００１２】
連結構造１０は、以上のような構造となっているので、従来のように連結部材を溶接して連結させたり、連結部材を切断して取り外す必要がなく、極めて簡単に着脱自在に連結させることができるのである。
【００１３】
図２は、連結構造１０の効果の一例を図示したものである。
図２（Ａ）は、連結構造１０の側面図である。接続部材２０の雄パーツ４０は雌パーツ３０の長手方向両端を残して嵌合しているので、矢印に示すように、リング部材５０が上下方向に回動自在となる。
また、図２（Ｂ）は、連結構造１０の平面図である。同じく接続部材２０の雄パーツ４０は雌パーツ３０の長手方向両端を残して嵌合しているので、矢印に示すように、リング部材５０が左右方向に回動自在となる。
このように、接続部材２０に連結したリング部材５０が上下左右に回動自在になることで、この連結構造１０は自在に変化できる。この結果、身体等に装着した場合には、その装着部位の形状に対応でき、フィット性に優れたものとなる。
【００１４】
図３は、接続部材２０のその他のピン材を示したものである。図１で示したピン材は略Ｖ字形をしたいわゆるヘアピン２１であるが、その他に、雄パーツ４０のピン孔４２に保持具としてのＣリング２６を備えた棒ピン２５を使用しても良い。この棒ピン２５とＣリング２６は、ヘアピン２１が使用できないような比較的小型サイズの接続部材２０の場合有効である。ただし、ピン材は、これらに限定されるものではない。
【００１５】
図４は、その他の隣接部材を示すものである。図４（Ａ）に示す隣接部材は、接続部材２０の係止手段３５に係止させるための係止孔５４，５４を備えた隣接部材５３である。また、図４（Ｂ）に示す隣接部材は、接続部材２０の係止手段３５に係止させるための係止輪５７，５７を備えた隣接部材５６である。ただし、隣接部材は、これらに限定されるものではなく、また、隣接部材のデザインによって、連結構造１０のデザインを大きく変化させることができるのである。
なお、同様に雄パーツ４０のデザインも様々なバリエーションをとることができ、連結構造１０のデザインを大きく変化させることができるのである。
【産業上の利用可能性】
【００１６】
本考案は、チェーンやバンドなど複数の部材を着脱自在に連結させる連結構造物に広く利用できるものである。
【図面の簡単な説明】
【００１７】
【図１】本考案の実施形態を示す説明図。
【図２】連結構造の効果の一例を図示した側面図及び平面図。
【図３】接続部材２０のその他のピン材２２を示した説明図。
【図４】その他の隣接部材を示す斜視図。
【図５】特許文献１（従来技術）に記載のチェーンを示す要部断面図。
【符号の説明】
【００１８】
１０  連結構造
２０  接続部材    ２１  ピン材（ヘアピン）    ２５  棒ピン    ２６  Ｃリング
３０  雌パーツ    ３１  基部      ３２  ピン孔    ３５  係止手段
４０  雄パーツ    ４２  ピン孔    ４５  嵌合溝
５０  リング部材  ５３，５６  隣接部材    ５４  係止孔    ５７  係止輪
【図１】
0003118704.tif 000003
【図２】
0003118704.tif 000004
【図３】
0003118704.tif 000005
【図４】
0003118704.tif 000006
【図５】
0003118704.tif 000007